(57)【要約】 【課題】  データ配信量を抑制しつつマルチメディア製作者の意図に基づき再生可能なマルチメディア配信システム及びその配信サーバ、通信端末を提供する。【解決手段】  配信サーバ１０は、基準メディアとして指定した音声メディアコンテンツをストリーミング配信しつつ、その他の静的メディアを、上記基準メディアの再生過程における再生タイミングに先んじて配信する。一方、携帯電話機２０側では、受信した基準メディアをストリーミング再生しつつ、そのストリームデータ列中に記述された各データブロックＩＤを検知したときは、そのデータブロックＩＤに対応する静的メディアを再生する。【選択図】  図２
2006042265.tif 000002
【特許請求の範囲】
【請求項１】
互いに通信可能に接続される通信端末及び配信サーバを備え、
時間経過に伴って再生内容が変化する１次メディアコンテンツ、及び、当該１次メディアコンテンツの再生過程における所定のタイミングで再生される２次メディアコンテンツを含むマルチメディアコンテンツを、前記配信サーバから配信し、前記通信端末にて受信しつつ当該通信端末に備えられた再生手段で再生するマルチメディア配信システムにおいて、
前記配信サーバが配信するマルチメディアコンテンツのうち、前記２次メディアコンテンツを構成するデータブロックには、そのブロック識別情報が付与される一方で、基準メディアとして指定された前記１次メディアコンテンツには、その再生過程における、前記２次メディアコンテンツの再生タイミングに対応するデータ位置にそのデータブロックに付与されたブロック識別情報が記述されており、
前記通信端末は、前記再生手段での前記基準メディアの再生中に、前記ブロック識別情報を検知する検知手段と、
前記検知手段で検知されたブロック識別情報に対応する前記２次メディアコンテンツのデータブロックを、その検知タイミングに同期したタイミングで前記再生手段にて再生させる再生制御手段と、を備えて構成されていることを特徴とするマルチメディア配信システム。
【請求項２】
前記２次メディアコンテンツには、前記通信端末が有する機能を実行させるための指令情報が含まれていることを特徴とする請求項１に記載のマルチメディア配信システム。
【請求項３】
時間の流れに沿って継続的に再生される１次メディアコンテンツ、及び、当該１次メディアコンテンツの再生過程における所定のタイミングで再生される２次メディアコンテンツを含むマルチメディアコンテンツを、通信可能に接続される通信端末へ配信する配信サーバであって、
前記マルチメディアコンテンツのうち、前記２次メディアコンテンツを構成するデータブロックには、そのブロック識別情報が付与される一方で、基準メディアとして指定された前記１次メディアコンテンツには、その再生過程における、前記２次メディアコンテンツの再生タイミングに対応するデータ位置にそのデータブロックに付与されたブロック識別情報が記述されており、
前記１次メディアコンテンツをストリーム配信しつつ、前記２次メディアコンテンツを、前記通信端末での再生タイミングに先んじて配信することを特徴とする配信サーバ。
【請求項４】
前記２次メディアコンテンツには、前記通信端末が有する機能を実行させるための指令情報が含まれていることを特徴とする請求項３に記載の配信サーバ。
【請求項５】
時間の流れに沿って継続的に再生される１次メディアコンテンツ、及び、当該１次メディアコンテンツの再生過程における所定のタイミングで再生される２次メディアコンテンツを含むマルチメディアコンテンツを、通信可能に接続される配信サーバから受信しつつ再生手段で再生する通信端末であって、
前記マルチメディアコンテンツのうち、前記２次メディアコンテンツを構成するデータブロックには、そのブロック識別情報が付与される一方で、基準メディアとして指定された前記１次メディアコンテンツには、その再生過程における、前記２次メディアコンテンツの再生タイミングに対応するデータ位置にそのデータブロックに付与されたブロック識別情報が記述されており、
前記再生手段での前記基準メディアの再生中に、前記ブロック識別情報を検知する検知手段と、
前記検知手段で検知されたブロック識別情報に対応する前記２次メディアコンテンツのデータブロックを、その検知タイミングに同期したタイミングで前記再生手段にて再生させる再生制御手段と、を備えて構成されていることを特徴とする通信端末。
【請求項６】
前記２次メディアコンテンツには、前記通信端末が有する機能を実行させるための指令情報が含まれていることを特徴とする請求項５に記載の通信端末。
【発明の詳細な説明】
【技術分野】
【０００１】
本発明は、マルチメディア配信システム及びその配信サーバ、通信端末に関する。
【背景技術】
【０００２】
従来のマルチメディア配信システムは、例えば動画ファイルと音声ファイルとをストリームデータとして同期をとりつつ配信（いわゆるストリーミング配信）されている。このストリームデータは、映像ストリームのデータブロックと音声ストリームのデータブロックとがそれぞれ事前に決定されたデータ量単位で交互に配信され、これを受信する通信端末にて両者の同期をとりつつ再生される（例えば下記特許文献１参照）。
【特許文献１】特表２００２−５２３１５６公報
【発明の開示】
【発明が解決しようとする課題】
【０００３】
しかしながら、従来のマルチメディア配信システムでは、上記動画メディアや音声メディア等の動的メディアの再生過程において同じ内容で所定時間だけ再生されるテキストや静止画等の静的メディアについても動的メディアとして取り扱う必要があった。つまり、例えば静止画であれば同じ内容の静止画データが連続的に連なるストリームデータとして配信しなければならないため、必ずしてもマルチメディア製作者の意図したとおりに再生されないおそれがあった。また、データ配信量が増大するという問題があった。
【０００４】
本発明は上記のような事情に基づいて完成されたものであって、データ配信量を抑制しつつマルチメディア製作者の意図に基づき再生可能なマルチメディア配信システム及びその配信サーバ、通信端末を提供することを目的とする。
【課題を解決するための手段】
【０００５】
上記の目的を達成するための手段として、請求項１の発明に係るマルチメディア配信システムは、互いに通信可能に接続される通信端末及び配信サーバを備え、時間経過に伴って再生内容が変化する１次メディアコンテンツ、及び、当該１次メディアコンテンツの再生過程における所定のタイミングで再生される２次メディアコンテンツを含むマルチメディアコンテンツを、前記配信サーバから配信し、前記通信端末にて受信しつつ当該通信端末に備えられた再生手段で再生するマルチメディア配信システムにおいて、前記配信サーバが配信するマルチメディアコンテンツのうち、前記２次メディアコンテンツを構成するデータブロックには、そのブロック識別情報が付与される一方で、基準メディアとして指定された前記１次メディアコンテンツには、その再生過程における、前記２次メディアコンテンツの再生タイミングに対応するデータ位置にそのデータブロックに付与されたブロック識別情報が記述されており、前記通信端末は、前記再生手段での前記基準メディアの再生中に、前記ブロック識別情報を検知する検知手段と、前記検知手段で検知されたブロック識別情報に対応する前記２次メディアコンテンツのデータブロックを、その検知タイミングに同期したタイミングで前記再生手段にて再生させる再生制御手段と、を備えて構成されていることを特徴とする。
＜用語説明＞
本発明でいう「１次メディアコンテンツ」は、時間的要素を含み、時間経過に伴って再生内容が変化する動的メディア（例えば、音声（特に音楽）、テキスト、動画など）をいう。
また、「２次メディアコンテンツ」は、主として時間経過に伴って再生内容が変化しない静的メディア（静止画、音など）をいうが、これに限らず、１次メディアコンテンツの再生過程で再生されるものであれば上記の動的メディアであってもよい。
更に、通信端末と配信サーバとの通信は、有線配信であっても無線配信であってもよい。
また、「通信端末」は、設置型のパーソナルコンピュータであってもよい。これに限らず、例えば携帯電話機等の移動体通信装置や携帯型の個人情報機器（ＰＤＡ）等であってもよい。
また、「再生手段」には、ＬＲＴ等の表示手段やスピーカ等の発音手段などが含まれる。
【０００６】
請求項２の発明は、請求項１に記載のマルチメディア配信システムにおいて、前記２次メディアコンテンツには、前記通信端末が有する機能を実行させるための指令情報が含まれていることを特徴とする。
＜用語説明＞
なお、「指令情報」としては、例えば、発音手段や発光手段を起動させたり、携帯電話のバイブレータ機能を起動させたり、メールを受信して表示させたり、また表示手段の表示パターン（ディスプレイの画面表示パターン、発光灯の発光パターンなど）を制御したりする機能などを実行させるための制御コマンドが含まれる。
【０００７】
請求項３の発明に係る配信サーバは、時間の流れに沿って継続的に再生される１次メディアコンテンツ、及び、当該１次メディアコンテンツの再生過程における所定のタイミングで再生される２次メディアコンテンツを含むマルチメディアコンテンツを、通信可能に接続される通信端末へ配信する配信サーバであって、前記マルチメディアコンテンツのうち、前記２次メディアコンテンツを構成するデータブロックには、そのブロック識別情報が付与される一方で、基準メディアとして指定された前記１次メディアコンテンツには、その再生過程における、前記２次メディアコンテンツの再生タイミングに対応するデータ位置にそのデータブロックに付与されたブロック識別情報が記述されており、前記１次メディアコンテンツをストリーム配信しつつ、前記２次メディアコンテンツを、前記通信端末での再生タイミングに先んじて配信することを特徴とする。
【０００８】
請求項４の発明は、請求項３に記載の配信サーバにおいて、前記２次メディアコンテンツには、前記通信端末が有する機能を実行させるための指令情報が含まれていることを特徴とする。
【０００９】
請求項５の発明に係る通信端末は、時間の流れに沿って継続的に再生される１次メディアコンテンツ、及び、当該１次メディアコンテンツの再生過程における所定のタイミングで再生される２次メディアコンテンツを含むマルチメディアコンテンツを、通信可能に接続される配信サーバから受信しつつ再生手段で再生する通信端末であって、前記マルチメディアコンテンツのうち、前記２次メディアコンテンツを構成するデータブロックには、そのブロック識別情報が付与される一方で、基準メディアとして指定された前記１次メディアコンテンツには、その再生過程における、前記２次メディアコンテンツの再生タイミングに対応するデータ位置にそのデータブロックに付与されたブロック識別情報が記述されており、前記再生手段での前記基準メディアの再生中に、前記ブロック識別情報を検知する検知手段と、前記検知手段で検知されたブロック識別情報に対応する前記２次メディアコンテンツのデータブロックを、その検知タイミングに同期したタイミングで前記再生手段にて再生させる再生制御手段と、を備えて構成されていることを特徴とする。
【００１０】
請求項６の発明は、請求項５に記載の通信端末において、前記２次メディアコンテンツには、前記通信端末が有する機能を実行させるための指令情報が含まれていることを特徴とする。
【発明の効果】
【００１１】
＜請求項１，３，５の発明＞
本構成によれば、配信サーバは、基準メディアとして指定した１次メディアコンテンツ（動的メディア）をストリーミング配信しつつ、その他のメディアコンテンツ（静的メディアや、例えば１次メディアコンテンツが複数含まれる場合には上記基準メディア以外の動的メディア）を、上記基準メディアの再生過程における再生タイミングに先んじて配信する。一方、通信端末側では、受信した基準メディアをストリーミング再生しつつ、そのストリームデータに記述されたブロック識別情報を検知したときは、そのブロック識別情報に対応する他のメディアコンテンツを再生する。
このような構成であれば、例えば静的メディアコンテンツのデータをストリームデータとして配信する必要がなくなり、また、通信端末において、マルチメディア製作者の意図に基づく正確な再生が可能になる。
【００１２】
＜請求項２，４，６の発明＞
本構成によれば、通信端末が有する機能を実行させるための指令情報も配信サーバから配信され、基準メディアの再生過程における所定の再生タイミングで当該機能を実行させることができる。
【発明を実施するための最良の形態】
【００１３】
本発明の一実施形態について図１，２を参照しつつ説明する。
本実施形態に係るマルチメディア配信システム１は、静的メディア及び動的メディアを含むマルチメディアコンテンツを配信サーバ１０から配信し、それを受信する通信端末２０にて上記動的メディアを基準メディアとしてストリーミング再生しつつ、その再生過程における所定のタイミングで静的メディアを再生させるためのものである。なお、本実施形態では、マルチメディアコンテンツには、動的メディア（１次メディアコンテンツ）として音声メディアが、静的メディア（２次メディアコンテンツ）として静止画メディア、テキストメディア及び制御コマンドが含まれているものとして説明する。また、音声メディアは、本実施形態では、音楽メディアであるが、これに限らず、例えば小説などを朗読する人の声などであってもよい。
【００１４】
１．コンテンツ配信システムの全体構成
コンテンツ配信システム１は、図１に示すように、配信サーバ１０と携帯端末２０とを備え、移動通信ネットワーク３０を介して互いにデータ通信可能に接続される構成になっている。
【００１５】
（１）配信サーバ
このうち配信サーバ１０は、通信部１１、ＣＰＵ１２、ＲＯＭ１３及びメモリ１４（例えばＲＡＭやハードディスク等）を備えるサーバコンピュータである。メモリ１４には、メディア配信マネージャなどの各種のアプリケーションを実行可能なプログラムが記憶されているプログラム記憶領域１５がある。また、メモリ１４には、各種のマルチメディアコンテンツデータを記憶するコンテンツ記憶領域１６があり、ここには、各マルチメディアコンテンツを構成する動的メディア及び静的メディアがそれぞれファイル化されて上記各マルチメディアコンテンツ毎に対応付けられて記憶されている。本実施形態では、音声メディア記憶領域１６ａ、静止画メディア記憶領域１６ｂ、テキストメディア領域１６ｃ及び制御コマンド領域１６ｄが確保されている。
【００１６】
また、コンテンツ記憶領域１６には、各マルチメディアコンテンツ名と、その基準メディアとして予め指定されたメディアの種類（ここでは、音声メディアか、静止画メディアか、テキストメディアか、制御コマンドかの種別）との対応関係情報が記憶されている。従って、後述するように、ＣＰＵ１２は、通信端末２０から配信要求信号を受けたときに、上記メディア配信マネージャを読み込む。そして、上記配信要求信号に対応するマルチメディアコンテンツ名の基準メディアをコンテンツ記憶領域１６から読み出してストリーミング配信を実行する。
【００１７】
（２）携帯端末
本実施形態の携帯端末２０は、例えば移動体通信装置（以下、「携帯電話機２０」）であり、これには例えばインターネット４０を介して上記通信サーバ１０とデータ通信可能に接続される無線通信部２１、ＣＰＵ２２、バッファメモリ２３、メモリ２４、入力部２５、ディスプレイ２６（本発明の「再生手段」に相当）、及び、オーディオアンプ部２７（本発明の「再生手段」に相当）を有している。
【００１８】
このうち、バッファメモリ２３は、マルチメディアコンテンツデータを一時的に保管するためのものである。また、メモリ２４には、静的メディアデータが、基準メディアのストリーミング再生過程における自己の再生タイミングより前に予め配信されて記憶される。入力部２５は、携帯電話機２０の各種機能を実行させるための入力操作がされるもの（例えば操作キー、コンソールやタッチパネルなど）であり、例えば配信サーバ１０への特定のコンテンツ配信要求もこの入力部２６での入力操作によって実行される。また、ディスプレイ２６には、配信された静止画メディアやテキストメディア、後述するメニューリスト画面等が画面表示される。また、オーディオアンプ部２７は、ストリーミング再生される音声メディアをＤ／Ａ変換しつつ増幅し、例えばヘッドホン２８が接続される出力端子に音声信号を出力する。また、内蔵スピーカ２９から音声出力することもできるようになっている。
【００１９】
また、メモリ２４には、各メディアを再生可能なメディアプレイヤーソフトが記憶されている。このメディアプレイヤーソフトは、各メディアの再生タイミングを制御するメディア再生マネージャと、各メディアの再生ソフトとを備えている。例えば、静止画対応の再生ソフトとしてはＪＰＥＧプレイヤー、音声対応の再生ソフトとしてはＭＰ３プレイヤー、テキスト対応の再生ソフトとしてはタイポグラファーである。また、制御コマンド対応のソフトとしてはディスプレー制御ソフトやバイブレータ制御ソフトなどである。
【００２０】
（３）各メディアのデータ構造
図２は、携帯電話機２０における各メディアの受信及び再生タイミングを模式的に示した説明図である。
（ａ）音声メディアデータ
同図に示すように、音声メディアデータは、ストリームデータとして配信サーバ１０から配信されるわけであるが、このストリームデータ列には、他の静止画メディア、テキストメディア及び制御コマンドの各再生タイミングに対応するデータ位置に、それぞれのデータブロックＩＤ（本発明の「ブロック識別情報」に相当）が記述されている。より具体的には、音声メディアのストリームデータ列の先頭側には、静止画１のデータブロックＩＤ「Ｐ−１」が記述され、その後のデータ位置に制御コマンド１のデータブロックＩＤ「Ｃ−１」が記述されている。また、その後のデータ位置にテキスト１のデータブロックＩＤ「Ｔ−１」が記述され、更にその後のデータ位置に静止画２のデータブロックＩＤ「Ｐ−２」が記述されている。
【００２１】
（ｂ）静的メディアデータ
一方、静止画１データブロックの先頭にはそのデータブロックＩＤ「Ｐ−１」が付与され、制御コマンド１データブロックの先頭にはそのデータブロックＩＤ「Ｃ−１」が付与されている。また、テキスト１データブロックの先頭にはそのデータブロックＩＤ「Ｔ−１」が付与され、静止画２データブロックの先頭にはそのデータブロックＩＤ「Ｐ−２」が付与されている。
なお、上記静的メディアの再生タイミングは、例えば配信サーバ１０側で、予め、基準メディアである音声メディアデータ列における各データブロックＩＤの記述位置を変更することで、マルチメディアコンテンツ製作者の意図に柔軟に対応した再生が可能になる。
【００２２】
２．本実施形態の動作
まず、ユーザは、自分の所有する携帯電話機２０の入力部２５において配信サーバ１０へのアクセス操作を行う。すると、携帯電話機２０のＣＰＵ２２は無線通信部２１を介して配信サーバ１０へアクセスする。これにより、配信サーバ１０からメニューリストデータが携帯電話機２０に配信され、携帯電話機２０のＣＰＵ２２は、無線通信部２１で受信したメニューリストデータを取得してそのメニューリスト画面（図示せず）を例えばブラウザソフト等によってディスプレイ２６上に表示する。
【００２３】
このメニューリスト画面には、例えば配信サーバ１０が提供可能な複数のマルチメディアコンテンツ名等が一覧表示されており、ユーザは携帯電話機２０の入力部２５での入力操作によって所望のマルチメディアコンテンツ名をクリックして選択する。すると、ＣＰＵ２２は、選択されたマルチメディアコンテンツＩＤを含んだダウンロード要求信号を配信サーバ１０に送信する。
【００２４】
これにより配信サーバ１０のＣＰＵ１２は、受信したマルチメディアコンテンツＩＤに対応したマルチメディアコンテンツ名及びその基準メディアの種別をコンテンツ記憶領域１６から抽出する。そして、その基準メディアとして指定された音声メディアデータを音声メディア記憶領域１６ａから読み込む。次いで、この音声メディアデータをストリームデータとして移動通信ネットワーク３０を介して携帯電話機２０に配信する。このとき、ＣＰＵ１２は、上記音声メディアデータの読み込み過程において、音声メディアデータ列中に記述された各静的メディアのデータブロックＩＤを先取り的に検知し、それに対応するメディアのデータブロックをコンテンツ記憶領域１６から読み出す。そして、ＣＰＵ１２は、後述するように、携帯電話機２０での音声メディアの再生過程において、少なくとも静的メディアの再生タイミング前に当該静的メディアのデータブロックが携帯電話機２０に受信されているように計画して配信する（図２の下図参照）。なお、上記配信方式としてはマルチキャスト方式、ユニキャスト方式のいずれの方式であってもよい。
【００２５】
一方、携帯電話機２０側では、次述するように、ＣＰＵ２２は、本発明の「検知手段」「再生制御手段」として機能する。即ち、ＣＰＵ２２は、受信した音声メディアデータをバッファメモリ２３に一時的に格納しつつストリーミング再生を実行する一方で、随時配信されてくる各静的メディアのデータブロックをメモリ２４に格納する。音声メディアのストリーミング再生が実行されると、図２に示すように、まず、携帯電話機２０の内蔵スピーカ２９から音声が流れ始める（同図（ａ））。そして、そのストリーミング再生がある程度進行し、ＣＰＵ２２が音声メディアデータ列中に静止画１のデータブロックＩＤ「Ｐ−１」の記述を検知すると、その検知タイミングに同期したタイミングでメモリ２４から静止画１データブロックを読み出してその静止画１をディスプレイ２６に画面表示する（同図（ｂ））。
【００２６】
なお、この静止画面１は、一時的に画面表示してもよいが、それ以降に再生される他の静的メディア（例えば次の静止画２）の再生タイミングまで継続的に画面表示する構成であってもよい。また、静止画１データブロックに再生時間情報を予め付与しておいて、携帯電話機２０側では、静止画１をその再生タイミングから上記再生時間情報に応じた所定の時間だけ再生させる構成であってもよい。以下に説明する他の静的メディア（制御コマンド１、テキスト１及び静止画２）についても同様に上記した各構成を採用することができる。
【００２７】
そして、音声メディアのストリーミング再生が更に進行し、ＣＰＵ２２が音声メディアデータ列中に制御コマンド１のデータブロックＩＤ「Ｃ−１」の記述を検知すると、その検知タイミングに同期したタイミングでメモリ２４から制御コマンド１データを読み出してその制御内容を実行する。本実施形態では、図２（ｃ）に示すように、ＣＰＵ２２はバイブレータ機能を実行させる。
【００２８】
また、その後、ＣＰＵ２２が音声メディアデータ列中にテキスト１のデータブロックＩＤ「Ｔ−１」の記述を検知すると、その検知タイミングに同期したタイミングでメモリ２４からテキスト１データを読み出してそのテキスト内容をディスプレイ２６に画面表示する（同図（ｄ））。なお、このとき、上記静止画１を表示したままその前面にテキスト内容を画面表示する構成であっても勿論よい。
【００２９】
そして、更にその後、ＣＰＵ２２が音声メディアデータ列中に静止画２のデータブロックＩＤ「Ｐ−２」の記述を検知すると、その検知タイミングに同期したタイミングでメモリ２４から静止画２のデータブロックを読み出してその静止画２をディスプレイ２６に画面表示する（同図（ｅ））。
【００３０】
３．本実施形態の効果
（１）本実施形態によれば、配信サーバ１０は、基準メディアとして指定した音声メディアコンテンツ（動的メディア）をストリーミング配信しつつ、その他の静的メディアを、上記基準メディアの再生過程における再生タイミングに先んじて配信する。一方、携帯電話機２０側では、受信した基準メディアをストリーミング再生しつつ、そのストリームデータ列中に記述された各データブロックＩＤを検知したときは、そのデータブロックＩＤに対応する静的メディアを再生する。
このような構成であれば、例えば静的メディアデータをストリームデータとして配信する必要がなくなり、また、携帯電話機２０において、マルチメディア製作者の意図に基づく正確な再生が可能になる。
【００３１】
（２）また、携帯電話機２０が有する機能を実行させるための制御コマンドも配信サーバ１０から配信され、基準メディアの再生過程における所定の再生タイミングで当該機能を実行させることができる。
【００３２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、基準メディアとして音声メディアを指定したが、これに限らず、動画メディアであってもよい。また、テキストメディアであっても時間経過に伴って再生内容が順次変化するものであれば動的メディアに該当し、基準メディアとして指定することもできる。例えば、動的メディアとしてのテキストメディア（またはそのテキスト内容を朗読する人の音声メディア）を基準メディアとして、その基準メディアのストリーミング再生過程において、静止画メディア等を随時再生する構成であってもよい。これにより例えば物語の文字や朗読等を順次ストリーミング再生しつつ所定のタイミングで表示画面の背景を切り替えるなど、紙芝居的な再生が可能になる。
また、マルチメディアコンテンツとしては、その一部にストリーミング再生可能な動的メディアを含むものであれば、ゲームソフトにおいてユーザの所定の操作に応じて再生されるものであってもよい。
【００３３】
（２）また、携帯電話機２０において同じ静的メディアを異なる再生タイミングで複数回再生する構成であってもよい。
【００３４】
（３）上記実施形態では、移動通信ネットワーク３０を介して配信サーバ１０と携帯電話機２０とのデータ通信を行う構成であったが、これに限らず、インターネットや、社内のイントラネットを介してデータ通信を行う構成であってもよい。また、有線・無線のいずれであってもよい。
【図面の簡単な説明】
【００３５】
【図１】本発明の一実施形態に係るマルチメディア配信システムの全体構成を示すブロック図
【図２】携帯電話機における各メディアの受信及び再生タイミングを模式的に示した説明図
【符号の説明】
【００３６】
１…コンテンツ配信システム
１０…配信サーバ
１１…通信部
１２…ＣＰＵ
２０…携帯電話機（通信端末）
２６…ディスプレイ（再生手段）
２７…オーディオアンプ部（再生手段）
３０…移動通信ネットワーク（通信回線）
【図１】
2006042265.tif 000003
【図２】
2006042265.tif 000004